(57)【特許請求の範囲】
【請求項１】
便器に配設して用いられる便器洗浄具であって、
内部に微生物を収納する収納部と、
この収納部に前記便器の洗浄水を流入させる給水部と、
前記収納部から前記微生物を含む洗浄水を流出させる吐出部と、
この吐出部の下方に配設され、前記吐出部から流出された前記微生物を含む洗浄水を受けて回転する羽根車と
を備えたことを特徴とする便器洗浄具。
【請求項２】
前記給水部は、前記収納部の内部と連通された中空状体であり、前記収納部から外側に向かい一方向に突出して設けられ、先端部は、上側よりも下側の方が長く突出して形成された
ことを特徴とする請求項１記載の便器洗浄具。
【請求項３】
前記吐出部は、前記収納部の内部と連通されたオーバーフロー管であり、先端側は下方に向かって伸長され、先端部には、周方向における一部を削り、他の一部を下方に向かって伸長させた落下部が設けられたことを特徴とする請求項１又は請求項２に記載の便器洗浄具。
【請求項４】
前記吐出部は、前記収納部の側部にそれぞれ設けられ、前記羽根車は、前記各吐出部に対応してそれぞれ設けられたことを特徴とする請求項１から請求項３のいずれか１に記載の便器洗浄具。
【請求項５】
前記羽根車は、前記吐出部から流出された前記微生物を含む洗浄水の落下方向に対して直角に配設された軸と、この軸の周りを回転するように配設された羽根とを有し、この羽根には、前記微生物を含む洗浄水を受けて溜める凹部が形成されたことを特徴とする請求項１から請求項４のいずれか１に記載の便器洗浄具。
【発明の詳細な説明】
【技術分野】
【０００１】
本発明は、便器の汚れや悪臭の発生を防止する便器洗浄具に関する。
【背景技術】
【０００２】
便器の洗浄には、従来から酸やアルカリによって汚れを除去する化学洗浄剤が使用されており、この化学洗浄剤を便器に直接かけてブラシ等の洗浄具で擦って汚れを除去している。また、近年では、微生物を利用して便器を洗浄することも行われている。例えば、特許文献１には、好気性微生物群担持体を水跳ね防止板に取り付けて、水跳ね防止板の好気性微生物群担持体を取り付けた側の面が小便器の放水面を向くように、水跳ね防止板を小便器に取り付ける小便器の汚れ・悪臭除去具が記載されている。この小便器の汚れ・悪臭除去具では、小便器を洗浄する洗浄水を好気性微生物群担持体にかけて、洗浄水に好気性微生物群を含ませるようになっている。
【先行技術文献】
【特許文献】
【０００３】
【特許文献１】特開２００８−８８８０９号公報
【発明の概要】
【発明が解決しようとする課題】
【０００４】
しかしながら、特許文献１に記載の小便器の汚れ・悪臭除去具では、好気性微生物群を含む洗浄水が便器の表面をむらに流れてしまい、広く拡散させることが難しかった。その結果、便器内全体をむらなく洗浄することが難しかった。
【０００５】
本発明は、このような問題に基づきなされたものであり、微生物を便器内に広く拡散することができる便器洗浄具を提供することを目的とする。
【課題を解決するための手段】
【０００６】
本発明の便器洗浄具は、便器に配設して用いられるものであって、内部に微生物を収納する収納部と、この収納部に便器の洗浄水を流入させる給水部と、収納部から微生物を含む洗浄水を流出させる吐出部と、この吐出部の下方に配設され、吐出部から流出された微生物を含む洗浄水を受けて回転する羽根車とを備えたものである。
【発明の効果】
【０００７】
本発明によれば、吐出部の下方に、吐出部から流出された微生物を含む洗浄水を受けて回転する羽根車を設けるようにしたので、羽根車が回転することにより、微生物を含む洗浄水を便器内に広く拡散することができる。よって便器内全体をむらなくきれいに洗浄することができる。
【０００８】
また、給水部を収納部から外側に向かい一方向に突出して設け、先端部は、上側よりも下側の方を長く突出させるようにしたので、下側の一部において便器の表面と接触させることができる。よって、便器の表面を流れる洗浄水を円滑に収納部に案内することができると共に、便器との接触面積を小さくし、便器表面において洗浄水の流れが阻害されてしまうことを抑制することができる。従って、便器をむらなくきれいに洗浄することができる。
【０００９】
更に、吐出部の先端部に、周方向における一部を削り、他の一部を下方に向かって伸長させた落下部を設けるようにすれば、空気の混入により発生した気泡を消滅させることができると共に、下方に向かって伸長させた部分により微生物を含む洗浄水を誘導することができ、落下位置を正確に制御することができる。
【００１０】
加えて、吐出部を収納部の側部にそれぞれ設け、羽根車を吐出部に対応してそれぞれ設けるようにすれば、微生物を含む洗浄水を便器内により広く拡散することができる。
【００１１】
更にまた、羽根車の軸を洗浄水の落下方向に対して直角に配設し、羽根には洗浄水を受けて溜める凹部を形成するようにすれば、洗浄水が落下する力に加えて、羽根に洗浄水が溜まることによる重量により、羽根車を回転させることができる。よって、少量の洗浄水でも回転させることができる。
【図面の簡単な説明】
【００１２】
【図１】本発明の一実施の形態に係る便器洗浄具を便器に配設した状態を表す図である。
【図２】図１に示した便器洗浄具を便器の側から見た構成を表す図である。
【図３】図１に示した便器洗浄具を側方から見た構成を表す図である。
【図４】図２に示したＩＶ−ＩＶ線に沿った断面図である。
【図５】図４に示したＶ−Ｖ線に沿った断面図である。
【発明を実施するための形態】
【００１３】
以下、本発明の実施の形態について図面を参照して詳細に説明する。
【００１４】
図１は、本発明の一実施の形態に係る便器洗浄具１を便器２に配設した状態を表すものである。図２は、図１に示した便器洗浄具１を便器２の側から見た構成を表すものである。図３は、図１に示した便器洗浄具１を側方から見た構成を表すものである。図４は図２に示したＩＶ−ＩＶ線に沿った断面構造を表すものである。図５は図４に示したＶ−Ｖ線に沿った断面構造を表すものである。
【００１５】
この便器洗浄具１は、微生物を利用して便器２を洗浄するものであり、便器２に配設して用いられる。便器２としては、例えば、男性用小便器が適している。便器洗浄具１は、内部に微生物を収納する収納部１０と、この収納部１０に便器２の洗浄水を流入させる給水部２０と、収納部１０から微生物を含む洗浄水を流出させる吐出部３０と、この吐出部３０の下方に配設され、吐出部３０から流出された微生物を含む洗浄水を受けて回転する羽根車４０とを備えている。
【００１６】
収納部１０は、例えば、前面板１１と背面板１２とが所定の間隔を開けて対向配置され、底部及び側部に底板１３及び側板１４がそれぞれ配設されて、内部には収納空間１５が形成されている。上部は例えば開放されており、収納空間１５に微生物を入れることができるようになっている。微生物としては、例えば、ＢＮ菌が好ましく挙げられる。分解能力が高く、安全性も高いからである。微生物は、どのような形態でもよいが、固化剤により固形化した微生物固形体Ｍを用いることが好ましい。水に徐々に溶かすことができるので、長期間にわたり効果を得ることができるからである。側板１４には、便器２に配設するための紐状部材５１を取り付ける取付口１６が設けられている。
【００１７】
給水部２０は、例えば、前記収納部の内部と連通された中空状体であり、中空円柱状又は中空楕円柱状により構成することが好ましい。給水部２０は、例えば、収納部１０の背面板１２の上側に配設され、収納部１０から外側に向かい一方向に突出して設けられている。給水部２０の先端部は、例えば、上側よりも下側の方が長く突出して形成されており、便器２に配設したときに、先端部の下側の一部において便器２の表面と接触するように構成されている。便器２の表面を流れる洗浄水を円滑に収納部１０に案内することができると共に、便器２との接触面積を小さくして、便器２の表面における洗浄水の流れが阻害されることを抑制できるからである。給水部２０は少なくとも１つ設けられれば良いが、複数設けることが好ましい。十分な量の洗浄水を収納部１０に流入させることができるからである。
【００１８】
吐出部３０は、例えば、収納部１０の内部と連通されたオーバーフロー管であり、収納部１０の側部、すなわち側板１４の上側にそれぞれ配設されることが好ましい。吐出部３０の配設位置は、例えば、収納部１０に微生物固形体Ｍを入れ、洗浄水を流入させた時に、微生物固形体Ｍの全体が洗浄水に浸る高さとすることが好ましい。カビの発生を防止することができるからである。
【００１９】
また、吐出部３０は、例えば、Ｌ字状に形成され、先端側は下方に向かって伸長されている。吐出部３０の先端部には、例えば、菅の周方向における一部を削り、他の一部を下方に向かって伸長させた落下部３１が設けられていることが好ましい。オーバーフローの際に空気が混入しやすく、気泡のでき方により落下位置が変動してしまうので、落下部３１により気泡を消滅させ、かつ、下方に向かって伸長させた部分で微生物を含む洗浄水を誘導し、落下位置を正確に制御するためである。落下部３１は、１段でもよいが、下方に伸長する部分の幅が段階的に狭くなるように、複数段設けることが好ましい。図は、落下部３１を２段にした場合について示している。
【００２０】
羽根車４０は、例えば、収納部１０の側部にそれぞれ設けられた各吐出部３０に対応してそれぞれ設けられている。羽根車４０は、吐出部３０から流出された微生物を含む洗浄水の落下方向に対して直角に配設された軸４１と、この軸４１の周りを回転するように配設された羽根４２とを有している。軸４１は、例えば、収納部１０の前面板１１と背面板１２との対向方向と平行に配設されている。羽根４２には、例えば、微生物を含む洗浄水を受けて溜める凹部４３が形成されていることが好ましい。洗浄水が落下する力に加えて、羽根４２に洗浄水が溜まることによる重量により、羽根車４０を回転させることができるからである。
【００２１】
羽根車４０は、また、軸４１の伸長方向において対向して配設され、軸４１を支持すると共に、羽根４２を間に挟んで覆う一対の羽根カバー４４を有していることが好ましい。洗浄水が便器２の外に飛び散り、衣類や靴などが濡れてしまうことを防止するためである。羽根カバー４４は、収納部１０に対して回動可能に配設されていることが好ましい。
【００２２】
この便器洗浄具１は、例えば、収納部に微生物固形体Ｍを入れ、紐状部材５１により便器２に取り付けて用いられる。取り付け方は、便器２のタイプにより異なるが、例えば、便器２の上方に複数の洗浄水流出口が並べて設けられているタイプであれば、便器洗浄具１に取り付けた紐状部材５１にピン５２に通し、このピン５２を洗浄水流出口２Ａに差し込んで取り付ける。また、例えば、便器２の上方に１つの洗浄水流出口が設けられているタイプであれば、便器洗浄具１に取り付けた紐状部材５１を洗浄水流出口の奥の隙間に通して取り付ける。
【００２３】
便器２に取り付けたのち、洗浄水が流されると、給水部２０から洗浄水が収納部１０に流入し、微生物が混入する。この微生物を含む洗浄水は、吐出部３０からオーバーフローにより流れ出して羽根車４０に落下し、羽根４２の回転に応じて、便器２の内部に拡散される。
【００２４】
このように、本実施の形態によれば、吐出部３０の下方に、吐出部３０から流出された微生物を含む洗浄水を受けて回転する羽根車４０を設けるようにしたので、羽根車４０が回転することにより、微生物を含む洗浄水を便器２の内に広く拡散することができる。よって便器内全体をむらなくきれいに洗浄することができる。
【００２５】
また、給水部２０を収納部１０から外側に向かい一方向に突出して設け、先端部は、上側よりも下側の方を長く突出させるようにしたので、下側の一部において便器２の表面と接触させることができる。よって、便器２の表面を流れる洗浄水を円滑に収納部１０に案内することができると共に、便器２との接触面積を小さくし、便器２の表面において洗浄水の流れが阻害されてしまうことを抑制することができる。従って、便器２をむらなくきれいに洗浄することができる。
【００２６】
更に、吐出部３０の先端部に、周方向における一部を削り、他の一部を下方に向かって伸長させた落下部３１を設けるようにすれば、空気の混入により発生した気泡を消滅させることができると共に、下方に向かって伸長させた部分により微生物を含む洗浄水を誘導することができ、落下位置を正確に制御することができる。
【００２７】
加えて、吐出部３０を収納部１０の側部にそれぞれ設け、羽根車４０を吐出部３０に対応してそれぞれ設けるようにすれば、微生物を含む洗浄水を便器内により広く拡散することができる。
【００２８】
更にまた、羽根車４０の軸４１を洗浄水の落下方向に対して直角に配設し、羽根４２には洗浄水を受けて溜める凹部４３を形成するようにすれば、洗浄水が落下する力に加えて、羽根４２に洗浄水が溜まることによる重量により、羽根車４０を回転させることができる。よって、少量の洗浄水でも回転させることができる。
【００２９】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えている必要はなく、また、他の構成要素を備えていてもよい。
【産業上の利用可能性】
【００３０】
男性用小便器の洗浄に用いることができる。
【符号の説明】
【００３１】
１…便器洗浄具、２…便器、１０…収納部、１１…前面板、１２…背面板、１３…底板、１４…側板、１５…収納空間、１６…取付口、２０…給水部、３０…吐出部、３１…落下部、４０…羽根車、４１…軸、４２…羽根、４３…凹部、４４…羽根カバー、５１…紐状部材、５２…ピン、Ｍ…微生物固形体
【要約】
【課題】微生物を便器内に広く拡散することができる便器洗浄具を提供する。
【解決手段】便器洗浄具１は、便器に取り付けて用いられるものであり、内部に微生物を収納する収納部１０と、収納部１０に便器の洗浄水を流入させる給水部２０と、収納部１０から微生物を含む洗浄水を流出させる吐出部３０と、吐出部３０の下方に配設され、吐出部３０から流出された微生物を含む洗浄水を受けて回転する羽根車４０とを備えている。羽根車４０の回転により広く拡散させることができる。
【選択図】図２【図１】
0006004361.tif 000002
【図２】
0006004361.tif 000003
【図３】
0006004361.tif 000004
【図４】
0006004361.tif 000005
【図５】
0006004361.tif 000006